【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
光学面の少なくとも一部に、所定の光学的関数で近似される第１の面と、前記第１の面に交差する方向に延在する第２の面とを少なくとも備えた回折溝を有し、光を透過可能な光学素子であって、前記回折溝の前記第１面と前記第２面とは、前記所定の光学的関数で近似されない第３の面で連結されており、前記第２の面は光軸に対して１°以下の角度誤差で平行であり、前記第３の面の光軸直角方向の幅は、それに接続される前記第１の面の光軸直角方向の幅と、前記第３の面の光軸直角方向の幅の和の０．５％以上かつ１５％以下であることを特徴とする光学素子。
【請求項２】
前記所定の光学的関数は以下の式で表されることを特徴とする請求項１に記載の光学素子。
Ｎ＝INT(Ah2+Bh4+C)
Ｘ(h,N)＝h2/(rN(1+√(1-(1+KN)h2/rN2)))＋Ａ４Nｈ4＋Ａ６Nｈ6＋Ａ８Nｈ8
＋Ａ１０Nｈ10＋ΔＮ
但し、Ｎは前記回折溝の輪帯番号、ｈは光軸からの高さ、Ｘは接平面からの光軸方向距離、ｒNは第Ｎ輪帯の曲率半径、ＫNＡ４N〜Ａ１０Nは第Ｎ輪帯の非球面係数、Δ＝−λ0／（ｎ−１）は光軸上１λ0分の面シフト量である。
【請求項３】
前記光学素子は、光ピックアップ装置のカップリングレンズであることを特徴とする請求項１又は２のいずれかに記載の光学素子。
【請求項４】
前記光学素子は、光軸方向からの平行光を収束する光ピックアップ装置用対物レンズであることを特徴とする請求項１又は２に記載の光学素子。
【請求項５】
前記光学素子は、光軸方向からの発散光を収束する光ピックアップ装置用対物レンズであることを特徴とする請求項１又は２に記載の光学素子。
【請求項６】
前記光学素子は、コリメーターであることを特徴とする請求項３に記載の光学素子。
【請求項７】
光学面の少なくとも一部に、所定の光学的関数で近似される第１の面と、前記第１の面に交差する方向に延在する第２の面とを少なくとも備えた回折溝を有し、光を透過可能な光学素子であって、前記第１の面の表面粗さＲｚ値が、使用光源における使用波長の１／１０以下であることを特徴とする光学素子。
【請求項８】
前記所定の光学的関数は以下の式で表されることを特徴とする請求項７に記載の光学素子。
Ｎ＝INT(Ah2+Bh4+C)
Ｘ(h,N)＝h2/(rN(1+√(1-(1+KN)h2/rN2)))＋Ａ４Nｈ4＋Ａ６Nｈ6＋Ａ８Nｈ8
＋Ａ１０Nｈ10＋ΔＮ
但し、Ｎは前記回折溝の輪帯番号、ｈは光軸からの高さ、Ｘは接平面からの光軸方向距離、ｒNは第Ｎ輪帯の曲率半径、ＫNＡ４N〜Ａ１０Nは第Ｎ輪帯の非球面係数、Δ＝−λ0／（ｎ−１）は光軸上１λ0分の面シフト量である。
【請求項９】
前記第２の面は、光軸に対して１°以下の角度誤差で平行であることを特徴とする請求項７又は８に記載の光学素子。
【請求項１０】
前記光学素子は、光ピックアップ装置のカップリングレンズであることを特徴とする請求項７〜９のいずれかに記載の光学素子。
【請求項１１】
前記光学素子は、光軸方向からの平行光を収束する光ピックアップ装置用対物レンズであることを特徴とする請求項７〜９のいずれかに記載の光学素子。
【請求項１２】
前記光学素子は、光軸方向からの発散光を収束する光ピックアップ装置用対物レンズであることを特徴とする請求項７〜９のいずれかに記載の光学素子。
【請求項１３】
前記光学素子は、コリメーターであることを特徴とする請求項１０に記載の光学素子。
【請求項１４】
光学面の少なくとも一部に、所定の光学的関数で近似される第１の面と、前記第１の面に交差する方向に延在する第２の面とを少なくとも備えた回折溝を有し、且つ光を透過可能な光学素子を、成形によって形成する際に用いる金型であって、前記光学素子の少なくとも前記第１の面に対応する前記金型の面は回転切削加工により形成され、前記回転切削加工の加工時における切削工具の回転半径方向の送り量を、前記金型の一回転当たり０．１μｍ以上１μｍ以下としたことを特徴とする金型。
【請求項１５】
前記第２の面は、光軸に対して１°以下の角度誤差で平行であることを特徴とする請求項１４に記載の金型。
【請求項１６】
請求項１４又は１５に記載の金型を用いて射出成形もしくは射出圧縮成形されることにより形成されたことを特徴とする光学素子。
【請求項１７】
前記所定の光学的関数は以下の式で表されることを特徴とする請求項１６に記載の光学素子。
Ｎ＝INT(Ah2+Bh4+C)
Ｘ(h,N)＝h2/(rN(1+√(1-(1+KN)h2/rN2)))＋Ａ４Nｈ4＋Ａ６Nｈ6＋Ａ８Nｈ8
＋Ａ１０Nｈ10＋ΔＮ
但し、Ｎは前記回折溝の輪帯番号、ｈは光軸からの高さ、Ｘは接平面からの光軸方向距離、ｒNは第Ｎ輪帯の曲率半径、ＫNＡ４N〜Ａ１０Nは第Ｎ輪帯の非球面係数、Δ＝−λ0／（ｎ−１）は光軸上１λ0分の面シフト量である。
【請求項１８】
前記光学素子は、光ピックアップ装置のカップリングレンズであることを特徴とする請求項１６又は１７に記載の光学素子。
【請求項１９】
前記光学素子は、光軸方向からの平行光を収束する光ピックアップ装置用対物レンズであることを特徴とする請求項１６又は１７に記載の光学素子。
【請求項２０】
前記光学素子は、光軸方向からの発散光を収束する光ピックアップ装置用対物レンズであることを特徴とする請求項１６又は１７に記載の光学素子。
【請求項２１】
前記光学素子は、コリメーターであることを特徴とする請求項１８に記載の光学素子。
【請求項２２】
光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、且つ光を透過可能な光学素子を、成形によって形成する際に用いる金型を切削するための工具であって、前記金型の面の少なくとも一部は、前記工具を用いた回転切削加工により形成され、前記回転切削加工の際に前記工具における前記金型の回転方向に対抗するすくい面が少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輪郭づけられており、前記第１の縁部の延長線と前記第２の縁部の延長線との交点から、前記第３の縁部までの距離は０．１μｍ以上３μｍ以下であることを特徴とする工具。
【請求項２３】
請求項２２に記載の工具を用いて加工されたことを特徴とする金型。
【請求項２４】
前記第２の面は、光軸に対して１°以下の角度誤差で平行であることを特徴とする請求項２３に記載の金型。
【請求項２５】
請求項２３又は２４に記載の金型を用いて射出成形もしくは射出圧縮成形されることにより形成されたことを特徴とする光学素子。
【請求項２６】
前記所定の光学的関数は以下の式で表されることを特徴とする請求項２５に記載の光学素子。
Ｎ＝INT(Ah2+Bh4+C)
Ｘ(h,N)＝h2/(rN(1+√(1-(1+KN)h2/rN2)))＋Ａ４Nｈ4＋Ａ６Nｈ6＋Ａ８Nｈ8
＋Ａ１０Nｈ10＋ΔＮ但し、Ｎは前記回折溝の輪帯番号、ｈは光軸からの高さ、Ｘは接平面からの光軸方向距離、ｒNは第Ｎ輪帯の曲率半径、ＫNＡ４N〜Ａ１０Nは第Ｎ輪帯の非球面係数、Δ＝−λ0／（ｎ−１）は光軸上１λ0分の面シフト量である。
【請求項２７】
前記光学素子は、光ピックアップ装置のカップリングレンズであることを特徴とする請求項２５又は２６に記載の光学素子。
【請求項２８】
前記光学素子は、光軸方向からの平行光を収束する光ピックアップ装置用対物レンズであることを特徴とする請求項２５又は２６に記載の光学素子。
【請求項２９】
前記光学素子は、光軸方向からの発散光を収束する光ピックアップ装置用対物レンズであることを特徴とする請求項２５又は２６に記載の光学素子。
【請求項３０】
前記光学素子は、コリメーターであることを特徴とする請求項２７に記載の光学素子。
【請求項３１】
光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、光源からの光を透過可能な光学素子を、成形によって形成する際に用いる金型を切削するための工具であって、前記金型の面の少なくとも一部は前記工具を用いて回転切削加工により形成され、前記回転切削加工の際に前記工具における前記金型の回転方向に対抗するすくい面が、少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輸郭づけられており、前記第１の縁部と前記第２の縁部との成す角度αは、前記光学面に対応する前記金型の最大法線角をθｍａｘとし、前記工具の光学面光軸に対する設定角をＳとしたときに、５°以上かつθｍａｘ≦（９０−（α／２＋Ｓ））°を満たすことを特徴とする工具。
【請求項３２】
請求項３１に記載の工具を用いて加工されたことを特徴とする金型。
【請求項３３】
前記第２の面は、光軸に対して１°以下の角度誤差で平行であることを特徴とする請求項３２に記載の金型。
【請求項３４】
前記最大法線角θが、４０°以上７０°以下の範囲に、前記光学素子の前記回折溝に対応する溝が形成されていることを特徴とする請求項３２又は３３に記載の金型。
【請求項３５】
請求項３２〜３４のいずれかに記載の金型を用いて射出成形もしくは射出圧縮成形されることにより形成されたことを特徴とする光学素子。
【請求項３６】
前記所定の光学的関数は以下の式で表されることを特徴とする請求項３５に記載の光学素子。
Ｎ＝INT(Ah2+Bh4+C)
Ｘ(h,N)＝h2/(rN(1+√(1-(1+KN)h2/rN2)))＋Ａ４Nｈ4＋Ａ６Nｈ6＋Ａ８Nｈ8
＋Ａ１０Nｈ10＋ΔＮ
但し、Ｎは前記回折溝の輪帯番号、ｈは光軸からの高さ、Ｘは接平面からの光軸方向距離、ｒNは第Ｎ輪帯の曲率半径、ＫNＡ４N〜Ａ１０Nは第Ｎ輪帯の非球面係数、Δ＝−λ0／（ｎ−１）は光軸上１λ0分の面シフト量である。
【請求項３７】
前記光学素子は、光ピックアップ装置のカップリングレンズであることを特徴とする請求項３５又は３６に記載の光学素子。
【請求項３８】
前記光学素子は、光軸方向からの平行光を収束する光ピックアップ装置用対物レンズであることを特徴とする請求項３５又は３６に記載の光学素子。
【請求項３９】
前記光学素子は、光軸方向からの発散光を収束する光ピックアップ装置用対物レンズであることを特徴とする請求項３５又は３６に記載の光学素子。
【請求項４０】
前記光学素子は、コリメーターであることを特徴とする請求項３７に記載の光学素子。
【請求項４１】
光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、且つ光を透過可能な光学素子を、成形によって形成する際に用いる金型を切削するための工具であって、前記金型の面の少なくとも一部は前記工具を用いて回転切削加工により形成され、前記回転切削加工の際に前記工具における前記金型の回転方向に対抗するすくい面が少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輸郭づけられており、前記すくい面と前記第１の縁部を構成する前記工具の第１の側面、及び前記第２の縁部を構成する第２の側面において、前記すくい面に対する前記第１の側面の傾き角と、前記すくい面に対する前記第２の側面の傾き角とが互いに異なっており、その差が１°以上２０°以下であることを特徴とする工具。
【請求項４２】
請求項４１に記載の工具を用いて加工されたことを特徴とする金型。
【請求項４３】
前記第２の面は、光軸に対して１°以下の角度誤差で平行であることを特徴とする請求項４２に記載の金型。
【請求項４４】
請求項４３に記載の金型を用いて射出成形もしくは射出圧縮成形されることにより形成されたことを特徴とする光学素子。
【請求項４５】
前記所定の光学的関数は以下の式で表されることを特徴とする請求項４４に記載の光学素子。
Ｎ＝INT(Ah2+Bh4+C)
Ｘ(h,N)＝h2/(rN(1+√(1-(1+KN)h2/rN2)))＋Ａ４Nｈ4＋Ａ６Nｈ6＋Ａ８Nｈ8
＋Ａ１０Nｈ10＋ΔＮ
但し、Ｎは前記回折溝の輪帯番号、ｈは光軸からの高さ、Ｘは接平面からの光軸方向距離、ｒNは第Ｎ輪帯の曲率半径、ＫNＡ４N〜Ａ１０Nは第Ｎ輪帯の非球面係数、Δ＝−λ0／（ｎ−１）は光軸上１λ0分の面シフト量である。
【請求項４６】
前記光学素子は、光ピックアップ装置のカップリングレンズであることを特徴とする請求項４４又は４５に記載の光学素子。
【請求項４７】
前記光学素子は、光軸方向からの平行光を収束する光ピックアップ装置用対物レンズであることを特徴とする請求項４４又は４５に記載の光学素子。
【請求項４８】
前記光学素子は、光軸方向からの発散光を収束する光ピックアップ装置用対物レンズであることを特徴とする請求項４４又は４５に記載の光学素子。
【請求項４９】
前記光学素子は、コリメーターであることを特徴とする請求項４６に記載の光学素子。
【請求項５０】
光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、且つ光を透過可能な光学素子を、成形によって形成する際に用いる金型を切削するための工具であって、前記金型の面の少なくとも一部は前記工具を用いて回転切削加工により形成され、前記回転切削加工の際に前記工具における前記金型の回転方向に対抗するすくい面が少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輸郭づけられており、前記すくい面と前記第１の縁部を構成する前記工具の第１の側面、及び前記第２の縁部を構成する第２の側面において、少なくともどちらか一方の側面が前記すくい面に対する第１の傾き角を有して、前記第１の側面と前記第２の側面の交線によって第１逃げ角を構成し、さらに少なくとも前記第１の側面または第２の側面がさらに前記すくい面に対して第２の傾き角を有し、少なくともこの第２の傾き角を有する側面ともう一方の側面とが交線を形成しこの交線が第２逃げ角を構成することを特徴とする工具。
【請求項５１】
請求項５０に記載の工具を用いて加工されたことを特徴とする金型。
【請求項５２】
前記第２の面は、光軸に対して１°以下の角度誤差で平行であることを特徴とする請求項５１に記載の金型。
【請求項５３】
請求項５２に記載の金型を用いて射出成形もしくは射出圧縮成形されることにより形成されたことを特徴とする光学素子。
【請求項５４】
前記所定の光学的関数は以下の式で表されることを特徴とする請求項５３に記載の光学素子。
Ｎ＝INT(Ah2+Bh4+C)
Ｘ(h,N)＝h2/(rN(1+√(1-(1+KN)h2/rN2)))＋Ａ４Nｈ4＋Ａ６Nｈ6＋Ａ８Nｈ8
＋Ａ１０Nｈ10＋ΔＮ
但し、Ｎは前記回折溝の輪帯番号、ｈは光軸からの高さ、Ｘは接平面からの光軸方向距離、ｒNは第Ｎ輪帯の曲率半径、ＫNＡ４N〜Ａ１０Nは第Ｎ輪帯の非球面係数、Δ＝−λ0／（ｎ−１）は光軸上１λ0分の面シフト量である。
【請求項５５】
前記光学素子は、光ピックアップ装置のカップリングレンズであることを特徴とする請求項５３又は５４に記載の光学素子。
【請求項５６】
前記光学素子は、光軸方向からの平行光を収束する光ピックアップ装置用対物レンズであることを特徴とする請求項５３又は５４に記載の光学素子。
【請求項５７】
前記光学素子は、光軸方向からの発散光を収束する光ピックアップ装置用対物レンズであることを特徴とする請求項５３又は５４に記載の光学素子。
【請求項５８】
前記光学素子は、コリメーターであることを特徴とする請求項５５に記載の光学素子。
【手続補正２】
【補正対象書類名】明細書
【補正対象項目名】０００３
【補正方法】変更
【補正の内容】
【０００３】
回折レンズの応用例としては、パソコン搭載カメラの撮像レンズや光ディスクなどのピックアップ光学素子などが挙げられる。前者は、回折効果を用いることで少ないレンズ枚数で色収差などを効率よく小さくできるので、パソコンに搭載するのに都合の良い薄くて軽量な撮像レンズが実現できる。また、後者の例では、ＤＶＤやＣＤなどの光ディスクから情報を読み出し又は光ディスクに情報の書き込みを行う際に発生する、光源となる高出力レーザーダイオードの波長変動を収差補正するのに用いられる対物レンズなどがある。
【手続補正３】
【補正対象書類名】明細書
【補正対象項目名】０００４
【補正方法】変更
【補正の内容】
【０００４】
また、ＤＶＤやＣＤなど異なる光ディスクに対して共用化するため、複数の光源波長に対して良好に収差を補正し、温度変化による波長変動やモードホップに対しても良好な色収差特性を確保するために、回折効果を利用した光学素子が採用されている。
【手続補正４】
【補正対象書類名】明細書
【補正対象項目名】００１３
【補正方法】変更
【補正の内容】
【００１３】
【課題を解決するための手段】
請求項１に記載の光学素子は、光学面の少なくとも一部に、所定の光学的関数で近似される第１の面と、前記第１の面に交差する方向に延在する第２の面とを少なくとも備えた回折溝を有し、光を透過可能な光学素子であって、前記回折溝の前記第１面と前記第２面とは、前記所定の光学的関数で近似されない第３の面で連結されており、前記第２の面は光軸に対して１°以下の角度誤差で平行であり、前記第３の面の光軸直角方向の幅は、それに接続される前記第１の面の光軸直角方向の幅と、前記第３の面の光軸直角方向の幅の和の０．５％以上かつ１５％以下であるので、入射光束の散乱を極力抑制して、透過光量を高めることができる。
【手続補正５】
【補正対象書類名】明細書
【補正対象項目名】００１６
【補正方法】変更
【補正の内容】
【００１６】
次に、回折光学素子の回折溝を成形転写する金型の加工方法を示す。図３に、２軸または３軸の超精密旋盤の斜視図を示す。図４は、金型切削用の工具を示す図であり、図４（ａ）はその斜視図であり、図４（ｂ）は、刃先の正面図であり、図４（ｃ）は、刃先の側面図である。
【手続補正６】
【補正対象書類名】明細書
【補正対象項目名】００２０
【補正方法】変更
【補正の内容】
【００２０】
これにより、散乱光量を１０％以下または５％以下とするには、回折溝の光軸に直角方向の幅（ピッチ）に対する工具刃先半径（バイトＲ）によって理想形状に切削できていない溝部分の同じく直角方向の幅の割合が、少なくとも１０％以下であり、より好ましくは５％以下であれば良いことがわかる。
【手続補正７】
【補正対象書類名】明細書
【補正対象項目名】００３７
【補正方法】変更
【補正の内容】
【００３７】
請求項３に記載の前記光学素子は、光ピックアップ装置のカップリングレンズであることを特徴とする。
【手続補正８】
【補正対象書類名】明細書
【補正対象項目名】００３８
【補正方法】変更
【補正の内容】
【００３８】
請求項４に記載の光学素子は、光軸方向からの平行光を収束する光ピックアップ装置用対物レンズであることを特徴とする。
【手続補正９】
【補正対象書類名】明細書
【補正対象項目名】００３９
【補正方法】変更
【補正の内容】
【００３９】
請求項５に記載の光学素子は、光軸方向からの発散光を収束する光ピックアップ装置用対物レンズであることを特徴とする。
【手続補正１０】
【補正対象書類名】明細書
【補正対象項目名】００４０
【補正方法】変更
【補正の内容】
【００４０】
請求項６に記載の光学素子は、コリメーターであることを特徴とする。
請求項７に記載の光学素子は、光学面の少なくとも一部に、所定の光学的関数で近似される第１の面と、前記第１の面に交差する方向に延在する第２の面とを少なくとも備えた回折溝を有し、光を透過可能な光学素子であって、前記第１の面の表面粗さＲｚ値が、使用光源における使用波長の１／１０以下であるので、入射光の散乱を抑制して、透過光量を十分に確保できる。尚、前記第１の面の表面粗さＲｚ値の最小値は、前記光源における使用波長の１／１０００以上である。また、これら表面粗さＲｚ値は、ＪＩＳ  Ｂ０６０１−１９９４（ＩＳＯ  ４２８７）で定義される値である。
【手続補正１１】
【補正対象書類名】明細書
【補正対象項目名】００４５
【補正方法】変更
【補正の内容】
【００４５】
請求項１０に記載の光学素子は、光ピックアップ装置のカップリングレンズであることを特徴とする請求項７〜９のいずれかに記載の光学素子。
【手続補正１２】
【補正対象書類名】明細書
【補正対象項目名】００４６
【補正方法】変更
【補正の内容】
【００４６】
請求項１１に記載の光学素子は、光軸方向からの平行光を収束する光ピックアップ装置用対物レンズであることを特徴とする。
【手続補正１３】
【補正対象書類名】明細書
【補正対象項目名】００４７
【補正方法】変更
【補正の内容】
【００４７】
請求項１２に記載の光学素子は、光軸方向からの発散光を収束する光ピックアップ装置用対物レンズであることを特徴とする。
【手続補正１４】
【補正対象書類名】明細書
【補正対象項目名】００４８
【補正方法】変更
【補正の内容】
【００４８】
請求項１３に記載の光学素子は、コリメーターであることを特徴とする。
請求項１４に記載の金型は、光学面の少なくとも一部に、所定の光学的関数で近似される第１の面と、前記第１の面に交差する方向に延在する第２の面とを少なくとも備えた回折溝を有し、且つ光を透過可能な光学素子を、成形によって形成する際に用いる金型であって、前記光学素子の少なくとも前記第１の面に対応する前記金型の面は回転切削加工により形成され、前記回転切削加工の加工時における切削工具の回転半径方向の送り量を、前記金型の一回転当たり０．１μｍ以上１μｍ以下としたので、入射光の散乱を抑制して、透過光量を十分に確保できる。
【手続補正１５】
【補正対象書類名】明細書
【補正対象項目名】００６１
【補正方法】変更
【補正の内容】
【００６１】
請求項１８に記載の光学素子は、光ピックアップ装置のカップリングレンズであることを特徴とする。
【手続補正１６】
【補正対象書類名】明細書
【補正対象項目名】００６２
【補正方法】変更
【補正の内容】
【００６２】
請求項１９に記載の光学素子は、光軸方向からの平行光を収束する光ピックアップ装置用対物レンズであることを特徴とする。
【手続補正１７】
【補正対象書類名】明細書
【補正対象項目名】００６３
【補正方法】変更
【補正の内容】
【００６３】
請求項２０に記載の光学素子は、光軸方向からの発散光を収束する光ピックアップ装置用対物レンズであることを特徴とする。
【手続補正１８】
【補正対象書類名】明細書
【補正対象項目名】００６４
【補正方法】変更
【補正の内容】
【００６４】
請求項２１に記載の光学素子は、コリメーターであることを特徴とする。
請求項２２に記載の工具は、光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、且つ光を透過可能な光学素子を、成形によって形成する際に用いる金型を切削するための工具であって、前記金型の面の少なくとも一部は、前記工具を用いた回転切削加工により形成され、前記回転切削加工の際に前記工具における前記金型の回転方向に対抗するすくい面が少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輪郭づけられており、前記第１の縁部の延長線と前記第２の縁部の延長線との交点から、前記第３の縁部までの距離は０．１μｍ以上３μｍ以下であるので、かかる工具を用いて切削された金型により成形される光学素子において、入射光の散乱を抑制して、透過光量を十分に確保することができる。
【手続補正１９】
【補正対象書類名】明細書
【補正対象項目名】００６５
【補正方法】変更
【補正の内容】
【００６５】
本発明を、図面を参照してより詳細に説明する。図８は、旋削中の工具７０と金型５０との関係を示す図である。図８において、金型５０は、工具７０により、光学素子の回折溝（図２参照）における上述した所定の光学的関数で近似される第１の面に対応する面１１'と、光軸に対して略平行な第２の面に対応する面１２'と、これらを連結する第３の面に対応する１３'とを形成される。このとき、金型５０の回転方向に対して対抗する工具７０のすくい面７４が、金型５０の面１２'を切削形成する第１の縁部７１と、第１の縁部７１に交差する方向に延在する第２の縁部７２と、第１の縁部７１と第２の縁部７２とを接続し、金型５０の面１３'を切削形成する第３の縁部７３とで輪郭づけられており、第１の縁部７１の延長線と第２の縁部７２の延長線との交点Ｃから、第３の縁部７３までの距離Δ３が０．１μｍ以上３μｍ以下であるので、金型５０の面１３'を小さく抑え、かかる工具７０を用いて切削された金型５０により成形される光学素子において、入射光の散乱を抑制して、透過光量を十分に確保することができるのである。
【手続補正２０】
【補正対象書類名】明細書
【補正対象項目名】００７１
【補正方法】変更
【補正の内容】
【００７１】
請求項２７に記載の光学素子は、光ピックアップ装置のカップリングレンズであることを特徴とする。
【手続補正２１】
【補正対象書類名】明細書
【補正対象項目名】００７２
【補正方法】変更
【補正の内容】
【００７２】
請求項２８に記載の光学素子は、光軸方向からの平行光を収束する光ピックアップ装置用対物レンズであることを特徴とする。
【手続補正２２】
【補正対象書類名】明細書
【補正対象項目名】００７３
【補正方法】変更
【補正の内容】
【００７３】
請求項２９に記載の光学素子は、光軸方向からの発散光を収束する光ピックアップ装置用対物レンズであることを特徴とする。
【手続補正２３】
【補正対象書類名】明細書
【補正対象項目名】００７４
【補正方法】変更
【補正の内容】
【００７４】
請求項３１に記載の工具は、光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、光源からの光を透過可能な光学素子を、成形によって形成する際に用いる金型を切削するための工具であって、前記金型の面の少なくとも一部は前記工具を用いて回転切削加工により形成され、前記回転切削加工の際に前記工具における前記金型の回転方向に対抗するすくい面が、少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輸郭づけられており、前記第１の縁部と前記第２の縁部との成す角度αは、前記光学面に対応する前記金型の最大法線角をθｍａｘとし、工具の光学面光軸に対する設定角（いわゆるオフセット角）をＳとしたときに、５°以上かつθｍａｘ≦（９０−（α／２＋Ｓ））°を満たすので、金型に工具干渉を生じさせることが無く、より適切な形状の光学素子の製造を可能とする。
【手続補正２４】
【補正対象書類名】明細書
【補正対象項目名】００８５
【補正方法】変更
【補正の内容】
【００８５】
請求項３７に記載の光学素子は、光ピックアップ装置のカップリングレンズであることを特徴とする。
【手続補正２５】
【補正対象書類名】明細書
【補正対象項目名】００８６
【補正方法】変更
【補正の内容】
【００８６】
請求項３８に記載の光学素子は、光軸方向からの平行光を収束する光ピックアップ装置用対物レンズであることを特徴とする。
【手続補正２６】
【補正対象書類名】明細書
【補正対象項目名】００８７
【補正方法】変更
【補正の内容】
【００８７】
請求項３９に記載の光学素子は、光軸方向からの発散光を収束する光ピックアップ装置用対物レンズであることを特徴とする。
【手続補正２７】
【補正対象書類名】明細書
【補正対象項目名】００８８
【補正方法】変更
【補正の内容】
【００８８】
請求項４０に記載の光学素子は、コリメーターであることを特徴とする。
請求項４１に記載の工具は、光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、且つ光を透過可能な光学素子を、成形によって形成する際に用いる金型を切削するための工具であって、前記金型の面の少なくとも一部は前記工具を用いて回転切削加工により形成され、前記回転切削加工の際に前記工具における前記金型の回転方向に対抗するすくい面が少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輸郭づけられており、前記すくい面と前記第１の縁部を構成する前記工具の第１の側面、及び前記第２の縁部を構成する第２の側面において、前記すくい面に対する前記第１の側面の傾き角と、前記すくい面に対する前記第２の側面の傾き角とが互いに異なっており、その差が１°以上２０°以下であるので、金型に工具干渉を生じさせることが無く、より適切な形状の光学素子の製造を可能とする。差が１°未満なら効果が少なく、２０°を超えると、工具製作が困難であるからである。尚、傾き角とは、すくい面の第１の縁部と第２の縁部で、すくい面に直交する仮想面に対して、第１の側面と第２の側面のそれぞれなす角をいう。
【手続補正２８】
【補正対象書類名】明細書
【補正対象項目名】００９７
【補正方法】変更
【補正の内容】
【００９７】
請求項４６に記載の光学素子は、光ピックアップ装置のカップリングレンズであることを特徴とする。
【手続補正２９】
【補正対象書類名】明細書
【補正対象項目名】００９８
【補正方法】変更
【補正の内容】
【００９８】
請求項４７に記載の光学素子は、光軸方向からの平行光を収束する光ピックアップ装置用対物レンズであることを特徴とする。
【手続補正３０】
【補正対象書類名】明細書
【補正対象項目名】００９９
【補正方法】変更
【補正の内容】
【００９９】
請求項４８に記載の光学素子は、光軸方向からの発散光を収束する光ピックアップ装置用対物レンズであることを特徴とする。
【手続補正３１】
【補正対象書類名】明細書
【補正対象項目名】０１００
【補正方法】変更
【補正の内容】
【０１００】
請求項４９に記載の光学素子は、コリメーターであることを特徴とする。
請求項５０に記載の工具は、光学面の少なくとも一部に、所定の光学的関数で近似される第１の面と、前記第１の面に交差する方向に延在する第２の面と、前記第１の面と前記第２の面とを接続する第３の面とを少なくとも備えた回折溝を有し、且つ光を透過可能な光学素子を、成形によって形成する際に用いる金型を切削するための工具であって、前記金型の面の少なくとも一部は前記工具を用いて回転切削加工により形成され、前記回転切削加工の際に前記工具における前記金型の回転方向に対抗するすくい面が少なくとも、前記光学素子の前記第２の面に対応する前記金型の面を切削形成する第１の縁部と、前記第１の縁部に交差する方向に延在する第２の縁部と、前記第１の縁部と前記第２の縁部とを接続し、前記光学素子の前記第３の面に対応する前記金型の面を切削形成する第３の縁部とで輸郭づけられており、前記すくい面と前記第１の縁部を構成する前記工具の第１の側面、及び前記第２の縁部を構成する第２の側面において、少なくともどちらか一方の側面が前記すくい面に対する第１の傾き角を有して、前記第１の側面と前記第２の側面の交線によって第１逃げ角を構成し、さらに少なくとも前記第１の側面または第２の側面がさらに前記すくい面に対して第２の傾き角を有し、少なくともこの第２の傾き角を有する側面ともう一方の側面とが交線を形成しこの交線が第２逃げ角を構成するので、金型に工具干渉を生じさせることが無く、より適切な形状の光学素子の製造を可能とする。
【手続補正３２】
【補正対象書類名】明細書
【補正対象項目名】０１０８
【補正方法】変更
【補正の内容】
【０１０８】
請求項５５に記載の光学素子は、光ピックアップ装置のカップリングレンズであることを特徴とする。
【手続補正３３】
【補正対象書類名】明細書
【補正対象項目名】０１０９
【補正方法】変更
【補正の内容】
【０１０９】
請求項５６に記載の光学素子は、光軸方向からの平行光を収束する光ピックアップ装置用対物レンズであることを特徴とする。
【手続補正３４】
【補正対象書類名】明細書
【補正対象項目名】０１１０
【補正方法】変更
【補正の内容】
【０１１０】
請求項５７に記載の光学素子は、光軸方向からの発散光を収束する光ピックアップ装置用対物レンズであることを特徴とする。